(57)【要約】【課題】  表示画像の視認性の低下を防止しつつ消費電力を低減させることのできるデジタルカメラ及び発光制御方法を得る。【解決手段】  撮像によって被写体像を示す画像データを取得するＣＣＤ２４と、画像を表示するための液晶ディスプレイ３８と、発光することにより液晶ディスプレイ３８の表示領域を照明するバックライト部３８Ａと、を備えると共に、ＣＰＵ４０により、ＣＣＤ２４によって取得された画像データに基づいて撮像環境における明るさを特定し、特定した明るさが明るくなるほど光度が高くなるようにバックライト部３８Ａを制御する。【選択図】        図２
2007096950.tif 000002
【特許請求の範囲】
【請求項１】
撮像によって被写体像を示す画像データを取得する撮像手段と、
画像を表示するための表示手段と、
発光することにより前記表示手段の表示領域を照明する発光手段と、
前記撮像手段によって取得された前記画像データに基づいて撮像環境における明るさを特定し、特定した明るさが明るくなるほど光度が高くなるように前記発光手段を制御する制御手段と、
を備えたデジタルカメラ。
【請求項２】
前記制御手段は、前記撮像手段による撮像を行っている状態から撮像を停止する状態に移行した場合に、当該移行の直前に前記撮像手段によって取得された画像データに基づいて前記制御を行う
請求項１記載のデジタルカメラ。
【請求項３】
前記制御手段は、電源投入時で、かつ前記撮像手段による撮像が停止されている状態とされている場合に、前記撮像手段による最後の撮像時における撮影条件に基づいて前記制御を行う
請求項１又は請求項２記載のデジタルカメラ。
【請求項４】
前記制御手段は、電源投入時で、かつ前記撮像手段による撮像が停止されている状態とされている場合に、前記撮像手段による撮像を一時的に行わせ、これによって取得された画像データに基づいて前記制御を行う
請求項１又は請求項２記載のデジタルカメラ。
【請求項５】
前記表示手段によって表示される画像を示す画像信号を外部装置に出力するための出力端子と、
前記出力端子に外部装置が接続されていることを検出する検出手段と、
を更に備え、
前記制御手段は、前記検出手段によって外部装置が接続されていることが検出されている場合に光度が予め定められた最低レベルとなるように前記発光手段を制御する
請求項１乃至請求項４の何れか１項記載のデジタルカメラ。
【請求項６】
撮像によって被写体像を示す画像データを取得する撮像手段と、画像を表示するための表示手段と、発光することにより前記表示手段の表示領域を照明する発光手段と、を備えたデジタルカメラの前記発光手段の発光状態を制御する発光制御方法であって、
前記撮像手段によって取得された前記画像データに基づいて撮像環境における明るさを特定し、特定した明るさが明るくなるほど光度が高くなるように前記発光手段を制御することを特徴とする発光制御方法。
【発明の詳細な説明】
【技術分野】
【０００１】
本発明は、デジタルカメラ及び発光制御方法に係り、特に、撮像によって被写体像を示す画像データを取得する撮像手段と、画像を表示するための表示手段と、発光することにより前記表示手段の表示領域を照明する発光手段と、を備えたデジタルカメラ、及び前記発光手段の発光状態を制御する発光制御方法に関する。
【背景技術】
【０００２】
近年、画像を表示する表示装置として、ＣＲＴディスプレイ、液晶ディスプレイ、有機ＥＬディスプレイ、プラズマディスプレイ等、用途に応じた各種ディスプレイが用いられている。
【０００３】
一方、これらの表示装置には、例えば液晶ディスプレイの液晶パネルのように、表示領域自体は暗く、そのままでは表示された画像の視認性が低い表示部が用いられているものがある。
【０００４】
このような表示装置では、表示画像の視認性を向上させるために、外部からの光を採光して表示領域に照射するものや、バックライトを内蔵して当該バックライトの光を表示領域に照射するものが広く普及している。
【０００５】
このうち、バックライトが内蔵された表示装置では、発光管やＬＥＤ（発光ダイオード）等の発光素子から光が射出され、射出された光が拡散板を介して表示領域に照射されることにより、表示領域全体が照明されるようになっているものが多い。
【０００６】
ところで、このような表示領域に対する照明用の発光素子を有する表示装置を備えたデジタルカメラは電池による駆動が前提とされているため、消費電力を可能な限り低減することが望ましい。
【０００７】
このため、従来、使用している電池の残存容量を検出する電池容量検出手段と、画像を記録する記録媒体の残存容量を検出する記録容量検出手段と、周囲の明るさを検出する明るさ検出手段と、を備え、上記電池の残存容量の情報と上記記録媒体の残存容量の情報と上記周囲の明るさの情報とを読み取り、各情報に基づいて、撮影には必要性の少ない機能から順次動作を停止させる制御を行う技術があった（例えば、特許文献１参照。）。
【特許文献１】特開２０００−２１７０２９公報
【発明の開示】
【発明が解決しようとする課題】
【０００８】
ところで、前述したような表示領域に対する照明用の発光素子を有する表示装置を備えたデジタルカメラでは、周囲が明るくなるほど表示装置による表示画像に対する視認性が低くなる。
【０００９】
しかしながら、上記撮影には必要性の少ない機能から順次動作を停止させる制御を行う技術では、省電力化を図ることはできるものの、上記表示画像に対する視認性の低下を防止することはできない、という問題点があった。
【００１０】
本発明は上記問題点を解決するためになされたものであり、表示画像の視認性の低下を防止しつつ消費電力を低減させることのできるデジタルカメラ及び発光制御方法を提供することを目的とする。
【課題を解決するための手段】
【００１１】
上記目的を達成するために、本発明のデジタルカメラは、撮像によって被写体像を示す画像データを取得する撮像手段と、画像を表示するための表示手段と、発光することにより前記表示手段の表示領域を照明する発光手段と、前記撮像手段によって取得された前記画像データに基づいて撮像環境における明るさを特定し、特定した明るさが明るくなるほど光度が高くなるように前記発光手段を制御する制御手段と、を備えている。
【００１２】
請求項１に記載のデジタルカメラは、撮像によって被写体像を示す画像データを取得する撮像手段と、画像を表示するための表示手段と、発光することにより前記表示手段の表示領域を照明する発光手段と、が備えられている。なお、上記撮像手段には、ＣＣＤ（Charge Coupled Device）エリアセンサ、ＣＭＯＳ（Complementary Metal Oxide Semiconductor）イメージ・センサ等の固体撮像素子が含まれる。また、上記表示手段には、ＣＲＴディスプレイ、液晶ディスプレイ、有機ＥＬディスプレイ、プラズマディスプレイ等の各種ディスプレイが含まれる。更に、上記発光手段には、発光管、ＬＥＤ等の各種発光素子が含まれる。
【００１３】
ここで、本発明では、制御手段により、前記撮像手段によって取得された前記画像データに基づいて撮像環境における明るさが特定され、特定された明るさが明るくなるほど光度が高くなるように前記発光手段が制御される。
【００１４】
このように、本発明のデジタルカメラによれば、撮像によって被写体像を示す画像データを取得する撮像手段と、画像を表示するための表示手段と、発光することにより前記表示手段の表示領域を照明する発光手段と、を備えると共に、前記撮像手段によって取得された前記画像データに基づいて撮像環境における明るさを特定し、特定した明るさが明るくなるほど光度が高くなるように前記発光手段を制御しているので、表示画像の視認性の低下を防止しつつ消費電力を低減させることができる。
【００１５】
なお、本発明の前記制御手段は、前記撮像手段による撮像を行っている状態から撮像を停止する状態に移行した場合に、当該移行の直前に前記撮像手段によって取得された画像データに基づいて前記制御を行うものとしてもよい。これによって、前記撮像手段による撮像を行っている状態から撮像を停止する状態に移行した場合にも、表示画像の視認性の低下を防止することができる。
【００１６】
また、本発明の前記制御手段は、電源投入時で、かつ前記撮像手段による撮像が停止されている状態とされている場合に、前記撮像手段による最後の撮像時における撮影条件に基づいて前記制御を行うものとしてもよい。これによって、電源投入時で、かつ前記撮像手段による撮像が停止されている状態とされている場合にも、表示画像の視認性の低下を防止することができる。
【００１７】
また、本発明の前記制御手段は、電源投入時で、かつ前記撮像手段による撮像が停止されている状態とされている場合に、前記撮像手段による撮像を一時的に行わせ、これによって取得された画像データに基づいて前記制御を行うものとしてもよい。これによって、電源投入時で、かつ前記撮像手段による撮像が停止されている状態とされている場合にも、表示画像の視認性の低下を防止することができる。
【００１８】
更に、本発明は、前記表示手段によって表示される画像を示す画像信号を外部装置に出力するための出力端子と、前記出力端子に外部装置が接続されていることを検出する検出手段と、を更に備え、前記制御手段は、前記検出手段によって外部装置が接続されていることが検出されている場合に光度が予め定められた最低レベルとなるように前記発光手段を制御するものとしてもよい。これによって、消費電力を、更に低減させることができる。
【００１９】
一方、上記目的を達成するために、本発明の発光制御方法は、撮像によって被写体像を示す画像データを取得する撮像手段と、画像を表示するための表示手段と、発光することにより前記表示手段の表示領域を照明する発光手段と、を備えたデジタルカメラの前記発光手段の発光状態を制御する発光制御方法であって、前記撮像手段によって取得された前記画像データに基づいて撮像環境における明るさを特定し、特定した明るさが明るくなるほど光度が高くなるように前記発光手段を制御することを特徴とするものである。
【００２０】
従って、本発明の発光制御方法によれば、本発明のデジタルカメラと同様に作用するので、当該デジタルカメラと同様に、表示画像の視認性の低下を防止しつつ消費電力を低減させることができる。
【発明の効果】
【００２１】
本発明によれば、撮像によって被写体像を示す画像データを取得する撮像手段と、画像を表示するための表示手段と、発光することにより前記表示手段の表示領域を照明する発光手段と、を備えると共に、前記撮像手段によって取得された前記画像データに基づいて撮像環境における明るさを特定し、特定した明るさが明るくなるほど光度が高くなるように前記発光手段を制御しているので、表示画像の視認性の低下を防止しつつ消費電力を低減させることができる、という効果が得られる。
【発明を実施するための最良の形態】
【００２２】
以下、図面を参照して、本発明の実施の形態について詳細に説明する。なお、ここでは、本発明を、デジタル電子スチルカメラ（以下、「デジタルカメラ」という。）に適用した場合について説明する。
【００２３】
［第１の実施の形態］
まず、図１を参照して、本実施の形態に係るデジタルカメラ１０の外観上の構成を説明する。
【００２４】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００２５】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２６】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２７】
また、モード切替スイッチ５６Ｃは、撮影を行うモードである撮影モード及び被写体像を後述するＬＣＤ３８に再生するモードである再生モードの何れかのモードに設定する際に回転操作される。
【００２８】
一方、デジタルカメラ１０の背面には、前述のファインダ２０の接眼部と、撮影された被写体像やメニュー画面等を表示すると共に、後述するバックライト部３８Ａ（図１では図示省略、図２参照。）を備えた液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００２９】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、ストロボ４４の発光状態を設定するときに押圧操作されるストロボスイッチと、マクロ撮影を行うときに押圧操作されるマクロ撮影スイッチと、が備えられている。
【００３０】
次に、図２を参照して、本実施の形態に係るデジタルカメラ１０の電気系の要部構成を説明する。
【００３１】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３２】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３３】
なお、デジタル信号処理部３０は、所定容量のラインバッファを内蔵し、入力されたデジタルデータを後述するメモリ４８の所定領域に直接記憶させる制御も行う。
【００３４】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３５】
一方、デジタルカメラ１０は、デジタル画像データにより示される被写体像やメニュー画面等をＬＣＤ３８に表示させるための画像信号を生成してＬＣＤ３８に供給する一方、ＬＣＤ３８に表示させる画像を示すビデオ信号（本実施の形態では、ＮＴＳＣ信号）を生成してビデオ出力端子６６に供給するビデオ／ＬＣＤエンコーダ３６を備えている。なお、ビデオ／ＬＣＤエンコーダ３６は、ＬＣＤ３８に備えられたバックライト部３８Ａの作動を制御する役割、及びビデオ出力端子６６にテレビジョン受像器７４等の外部表示装置が接続されていることを検出する役割も有している。
【００３６】
また、デジタルカメラ１０は、デジタルカメラ１０全体の動作を司るＣＰＵ（中央処理装置）４０と、撮影により得られたデジタル画像データ等を一時的に記憶するメモリ４８と、メモリ４８に対するアクセスの制御を行うメモリインタフェース４６と、を含んで構成されている。
【００３７】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３８】
なお、本実施の形態のデジタルカメラ１０では、メモリ４８としてフラッシュ・メモリ（Flash Memory）が用いられ、メモリカード５２としてスマートメディア（Smart Media（登録商標））が用いられている。
【００３９】
デジタル信号処理部３０、ビデオ／ＬＣＤエンコーダ３６、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するビデオ／ＬＣＤエンコーダ３６を介した各種情報の表示、ビデオ／ＬＣＤエンコーダ３６を介したバックライト部３８Ａの作動の制御、ビデオ／ＬＣＤエンコーダ３６を介したビデオ信号のビデオ出力端子６６への供給、ビデオ／ＬＣＤエンコーダ３６によるビデオ出力端子６６への外部表示装置の接続状態の検出結果の把握、メモリ４８及びメモリカード５２へのメモリインタフェース４６及び外部メモリインタフェース５０を介したアクセスを各々行うことができる。
【００４０】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４１】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４２】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４３】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００４４】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４５】
ところで、本実施の形態に係るデジタルカメラ１０には、撮影環境の明るさに応じてバックライト部３８Ａの発光光度を調整する発光制御機能が搭載されている。このため、メモリ４８の所定領域には、撮影環境の明るさの度合いを示す明度を入力とし、バックライト部３８Ａの発光光度を出力とするルック・アップ・テーブル（以下、「ＬＵＴ」という。）が予め記憶されている。
【００４６】
図３には、本実施の形態に係る上記ＬＵＴの入力データ（撮影環境の明度）と出力データ（バックライト部３８Ａの光度）との関係を示すグラフが示されている。同図に示されるように、本実施の形態に係るデジタルカメラ１０では、上記ＬＵＴとして、上記明度が高くなるほど上記光度が高くなるものとされたものが適用されている。
【００４７】
次に、本実施の形態に係るデジタルカメラ１０の撮影時における全体的な動作について簡単に説明する。
【００４８】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４９】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５０】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行うと共に、ガンマ処理及びシャープネス処理を行って８ビットのデジタル画像データを生成する。
【００５１】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５２】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ビデオ／ＬＣＤエンコーダ３６を介して順次ＬＣＤ３８に出力する。これによってＬＣＤ３８にスルー画像が表示されることになる。
【００５３】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイルとして記録する。
【００５４】
ここで、本実施の形態に係るデジタルカメラ１０では、当該電子化ファイルのメモリカード５２への記録時に、この時点における所定の撮影条件（ここでは、撮影時におけるシャッタースピード及び絞り値の２つの条件）を示す情報を対応する撮影画像に関連付けて記録する。
【００５５】
なお、本実施の形態に係るデジタルカメラ１０はＥｘｉｆ（Exchangeable Image File Format）規格に対応しており、撮影によって得られたデジタル画像データはＥｘｉｆ規格の電子化ファイルとしてメモリカード５２に記録されるため、上記撮影条件を示す情報は、対応する撮影画像のデジタル画像データが含まれる電子化ファイルのタグ領域に記録されるが、これに限定されず、撮影画像を示す電子化ファイルとは別の電子化ファイルに、対応する撮影画像を特定可能な識別情報と共に記録する形態や、撮影画像を示す電子化ファイルのファイル名に含める形態等とすることもできる。
【００５６】
次に、上記発光制御機能を実行する際のデジタルカメラ１０の作用を説明する。まず、図４を参照して、撮影モードから再生モードに移行されたり、撮影モードとされている状態下で電源スイッチ５６Ｂへの操作に応じて電源オフの状態となる場合等、ＣＣＤ２４により撮像を行っている状態から当該撮像を停止する状態に移行する際に割り込み処理として実行される画像データ記憶処理の実行時の作用を説明する。なお、図４は、このとき、デジタルカメラ１０のＣＰＵ４０によって実行される画像データ記憶処理プログラムの処理の流れを示すフローチャートであり、当該プログラムはメモリ４８の所定領域に予め記憶されている。
【００５７】
同図のステップ１００では、この時点でメモリ４８に記憶されているデジタル画像データ（ＹＣ信号）を読み出し、次のステップ１０２にて、読み出したデジタル画像データをメモリ４８の所定領域（以下、「特定画像記憶領域」という。）に記憶し、その後に本画像データ記憶処理プログラムを終了する。
【００５８】
次に、図５を参照して、電源オンの状態とされているときに所定期間（ここでは、１０秒間）毎に実行される第１発光制御処理の実行時の作用を説明する。なお、図５は、このとき、デジタルカメラ１０のＣＰＵ４０によって実行される第１発光制御処理プログラムの処理の流れを示すフローチャートであり、当該プログラムもメモリ４８の所定領域に予め記憶されている。
【００５９】
まず、同図のステップ２００では、この時点で撮影モードが設定されているか否かを判定し、肯定判定となった場合はステップ２０２に移行して、この時点でメモリ４８にリアルタイムで記憶されているデジタル画像データ（ＹＣ信号）を読み出し、その後にステップ２０６に移行する一方、上記ステップ２００において否定判定となった場合にはステップ２０４に移行し、メモリ４８の特定画像記憶領域に記憶されているデジタル画像データを読み出し、その後にステップ２０６に移行する。
【００６０】
ステップ２０６では、上記ステップ２０２又はステップ２０４の処理によって読み出したデジタル画像データに基づいて撮影環境の明るさの度合いを示す明度Ｍを導出する。なお、本実施の形態に係るデジタルカメラ１０では、上記明度Ｍの導出を、読み出したデジタル画像データから全ての輝度信号Ｙを抽出し、その平均値を算出することにより行っているが、これに限らず、例えば、読み出したデジタル画像データの、当該デジタル画像データによって示される被写体像の一部領域（例えば、当該被写体像を水平方向に３分割で垂直方向に３分割の合計９つの領域に分割し、これらの分割領域の中心に位置する分割領域）に対応するデータの輝度信号Ｙのみを抽出して、その平均値を算出することにより導出する形態等、デジタル画像データに基づいて撮影環境の明るさの度合いを示す情報を導出することができるものであれば如何なるものも適用することができる。
【００６１】
次のステップ２１０では、上記ステップ２０６において導出した明度Ｍを上記ＬＵＴに入力することによって当該明度Ｍに対応する光度を導出し、次のステップ２１２にて、導出した光度でバックライト部３８Ａが発光するようにビデオ／ＬＣＤエンコーダ３６を制御し、その後に本第１発光制御処理プログラムを終了する。
【００６２】
以上の第１発光制御処理プログラムの実行により、撮影モードが設定されている場合は、ＣＣＤ２４によってリアルタイムで取得されているデジタル画像データに基づいて撮像環境における明るさを特定し、特定した明るさが明るくなるほど光度が高くなるようにバックライト部３８Ａが制御される。これに対し、再生モードが設定されている場合には、ＣＣＤ２４による撮像を行っている状態から撮像を停止する状態への移行の直前にＣＣＤ２４によって取得された画像データに基づいて前記制御が行われることになる。
【００６３】
次に、図６を参照して、電源投入時に実行される第２発光制御処理の実行時の作用を説明する。なお、図６は、このとき、デジタルカメラ１０のＣＰＵ４０によって実行される第２発光制御処理プログラムの処理の流れを示すフローチャートであり、当該プログラムもメモリ４８の所定領域に予め記憶されている。なお、ここでは、錯綜を回避するため、デジタルカメラ１０に、撮影画像を示す電子化ファイルが記録されているメモリカード５２が装着されている場合について説明する。
【００６４】
まず、同図のステップ３００では、この時点で再生モードが設定されているか否かを判定し、肯定判定となった場合はステップ３０２に移行して、この時点でメモリカード５２に記録されている撮影画像を示す電子化ファイルから、最後の撮影によって記録された電子化ファイル（最新の電子化ファイル）に対応する前述した撮影条件（ここでは、撮影時におけるシャッタースピード及び絞り値の２つの条件）を示す情報を当該電子化ファイルのタグ領域から読み出す。
【００６５】
次のステップ３０４では、読み出した撮影条件を示す情報に基づいて、当該撮影条件を記録した時点における撮影環境の明るさの度合いを示す明度Ｍを導出する。なお、本実施の形態に係るデジタルカメラ１０では、上記明度Ｍの導出を、シャッタースピード及び絞り値と上記明度Ｍとの対応関係を示す第２のＬＵＴを予めメモリ４８に記憶しておき、当該第２のＬＵＴを用いることにより導出しているが、これに限るものでないことも言うまでもない。
【００６６】
次のステップ３０８では、上記ステップ３０４において導出した明度Ｍを前述したＬＵＴに入力することによって当該明度Ｍに対応する光度を導出し、次のステップ３１０にて、導出した光度でバックライト部３８Ａが発光するようにビデオ／ＬＣＤエンコーダ３６を制御し、その後に本第２発光制御処理プログラムを終了する。なお、上記ステップ３００において否定判定となった場合、即ち、電源投入時に撮影モードが設定されている場合には、上記ステップ３０２〜ステップ３１０の処理を実行することなく、本第２発光制御処理プログラムを終了する。
【００６７】
以上の第２発光制御処理プログラムの実行により、電源投入時で、かつ再生モードが設定されており、ＣＣＤ２４による撮像が停止されている状態とされている場合は、ＣＣＤ２４による最後の撮像時における撮影条件に基づいて撮像環境における明るさを特定し、特定した明るさが明るくなるほど光度が高くなるようにバックライト部３８Ａが制御される。
【００６８】
次に、図７を参照して、電源オンの状態とされているときに所定期間（ここでは、２０秒間）毎に実行される第３発光制御処理の実行時の作用を説明する。なお、図７は、このとき、デジタルカメラ１０のＣＰＵ４０によって実行される第３発光制御処理プログラムの処理の流れを示すフローチャートであり、当該プログラムもメモリ４８の所定領域に予め記憶されている。
【００６９】
まず、同図のステップ４００では、ビデオ／ＬＣＤエンコーダ３６によってビデオ出力端子６６に外部表示装置が接続されていることが検出されているか否かを判定し、肯定判定となった場合はステップ４０２に移行する一方、否定判定となった場合は本第３発光制御処理プログラムを終了する。
【００７０】
ステップ４０２では、予め定められた最低レベルの光度でバックライト部３８Ａが発光するようにビデオ／ＬＣＤエンコーダ３６を制御し、その後に本第３発光制御処理プログラムを終了する。なお、本実施の形態に係るデジタルカメラ１０では、上記最低レベルとして、バックライト部３８Ａの最大光度の１０分の１の光度を適用しているが、これに限らず、デジタルカメラ１０を使用している環境内の明るさ等に応じて適宜設定変更する形態等とすることもできる。
【００７１】
以上の第３発光制御処理プログラムの実行により、外部表示装置が接続されている場合は光度が予め定められた最低レベルとなるようにバックライト部３８Ａが制御される。
【００７２】
以上詳細に説明したように、本実施の形態では、撮像によって被写体像を示す画像データを取得する撮像手段（ここでは、ＣＣＤ２４）と、画像を表示するための表示手段（ここでは、ＬＣＤ３８）と、発光することにより前記表示手段の表示領域を照明する発光手段（ここでは、バックライト部３８Ａ）と、を備えると共に、前記撮像手段によって取得された前記画像データに基づいて撮像環境における明るさを特定し、特定した明るさが明るくなるほど光度が高くなるように前記発光手段を制御しているので、表示画像の視認性の低下を防止しつつ消費電力を低減させることができる。
【００７３】
また、本実施の形態では、前記撮像手段による撮像を行っている状態から撮像を停止する状態に移行した場合に、当該移行の直前に前記撮像手段によって取得された画像データに基づいて前記制御を行っているので、前記撮像手段による撮像を行っている状態から撮像を停止する状態に移行した場合にも、表示画像の視認性の低下を防止することができる。
【００７４】
また、本実施の形態では、電源投入時で、かつ前記撮像手段による撮像が停止されている状態（ここでは、再生モードが設定されている状態）とされている場合に、前記撮像手段による最後の撮像時における撮影条件に基づいて前記制御を行っているので、この状態下でも表示画像の視認性の低下を防止することができる。
【００７５】
更に、本実施の形態では、前記表示手段によって表示される画像を示す画像信号を外部装置に出力するための出力端子（ここでは、ビデオ出力端子６６）と、前記出力端子に外部装置が接続されていることを検出する検出手段（ここでは、ビデオ／ＬＣＤエンコーダ３６）と、を更に備え、前記検出手段によって外部装置が接続されていることが検出されている場合に光度が予め定められた最低レベルとなるように前記発光手段を制御しているので、消費電力を更に低減させることができる。
【００７６】
［第２の実施の形態］
本第２の実施の形態では、電源投入時で、かつＣＣＤ２４による撮像が停止されている状態とされている場合に、ＣＣＤ２４による撮像を一時的に行わせ、これによって取得された画像データに基づいてバックライト部３８Ａの発光光量の制御を行う場合の形態例について説明する。なお、本第２の実施の形態に係るデジタルカメラ１０の構成は、上記第１の実施の形態に係るデジタルカメラ１０（図１〜図３参照。）と同様であるので、ここでの説明は省略する。また、本第２の実施の形態に係るデジタルカメラ１０の、第２発光制御処理の実行時以外の作用も、上記第１の実施の形態に係るデジタルカメラ１０と同様であるので、ここでの説明は省略する。
【００７７】
以下、図８を参照して、電源投入時に実行される、本第２の実施の形態に係る第２発光制御処理の実行時の作用を説明する。なお、図８は、このとき、本第２の実施の形態に係るデジタルカメラ１０のＣＰＵ４０によって実行される第２発光制御処理プログラムの処理の流れを示すフローチャートであり、当該プログラムもメモリ４８の所定領域に予め記憶されている。なお、図８における図６と同一の処理を行うステップについては図６と同一のステップ番号を付して、その説明を省略する。
【００７８】
再生モードが設定されている場合、ステップ３０１では、ＣＣＤ２４の駆動を開始させ、次のステップ３０３にて、当該ＣＣＤ２４の駆動に応じてメモリ４８に記憶されたデジタル画像データ（ＹＣ信号）を読み出し、更に、次のステップ３０５にて、上記ステップ３０１の処理によって開始したＣＣＤ２４の駆動を停止させる。
【００７９】
そして、次のステップ３０７では、上記ステップ３０３の処理によって読み出したデジタル画像データに基づいて、上記第１の実施の形態に係る第１発光制御処理プログラムのステップ２０６の処理と同様に撮影環境の明るさの度合いを示す明度Ｍを導出し、その後にステップ３０８に移行する。
【００８０】
以上詳細に説明したように、本実施の形態では、上記第１の実施の形態と略同様の効果を奏することができると共に、電源投入時で、かつ前記撮像手段による撮像が停止されている状態とされている場合に、前記撮像手段による撮像を一時的に行わせ、これによって取得された画像データに基づいて前記制御を行うものとしているので、この状態下でも表示画像の視認性の低下を防止することができる。
【００８１】
なお、上記各実施の形態では、本発明の撮影条件として、シャッタースピード及び絞り値の２つの条件を適用した場合について説明したが、本発明はこれに限定されるものではなく、例えば、ＣＣＤ２４の撮像感度、ホワイトバランス調整に適用したＲ，Ｇ，Ｂ毎のデジタルゲイン値等の、撮影環境における明るさを特定することのできる他の情報を適用することもできる。この場合も、上記各実施の形態と同様の効果を奏することができる。
【００８２】
また、上記各実施の形態では、ＬＵＴによって光度や明度Ｍを導出する場合について説明したが、本発明はこれに限定されるものではなく、例えば、当該ＬＵＴの入力データを入力値とし、当該ＬＵＴの出力データを算出値とする演算式を適用する形態とすることもできる。この場合、当該演算式による演算に費やされる時間だけ処理が遅くなるものの、ＬＵＴを記憶するための記憶容量を削減することができる。
【００８３】
また、上記各実施の形態では、本発明の表示手段として液晶ディスプレイを適用した場合について説明したが、本発明はこれに限定されるものではなく、例えば、プラズマディスプレイ、有機ＥＬディスプレイ、ＣＲＴディスプレイ等の自発光型のディスプレイを適用する形態とすることもできる。この場合、本発明の発光手段はディスプレイにおける発光部に対応することになる。この場合も上記各実施の形態と同様の効果を奏することができる。
【００８４】
その他、上記各実施の形態に係るデジタルカメラ１０の構成（図１〜図３参照。）は一例であり、本発明の主旨を逸脱しない範囲内において適宜変更可能であることは言うまでもない。
【００８５】
また、上記各実施の形態において説明した各種処理プログラムの処理の流れ（図４〜図８参照。）も一例であり、本発明の主旨を逸脱しない範囲内において適宜変更可能であることは言うまでもない。
【００８６】
更に、上記各実施の形態では、本発明をデジタル電子スチルカメラに適用した場合について説明したが、本発明は、ＰＤＡ（Personal Digital Assistant，携帯情報端末）、携帯電話機等、撮像手段、表示手段、及び当該表示手段の表示領域を照明する発光手段を有するカメラ機能付き情報機器であれば如何なるものにでも適用できることは言うまでもない。
【図面の簡単な説明】
【００８７】
【図１】実施の形態に係るデジタルカメラの外観を示す外観図である。
【図２】実施の形態に係るデジタルカメラの電気系の要部構成を示すブロック図である。
【図３】実施の形態に係るルック・アップ・テーブルの入力データ（撮影環境の明度）と出力データ（バックライト部３８Ａの光度）との関係を示すグラフである。
【図４】実施の形態に係る画像データ記憶処理プログラムの処理の流れを示すフローチャートである。
【図５】実施の形態に係る第１発光制御処理プログラムの処理の流れを示すフローチャートである。
【図６】第１の実施の形態に係る第２発光制御処理プログラムの処理の流れを示すフローチャートである。
【図７】実施の形態に係る第３発光制御処理プログラムの処理の流れを示すフローチャートである。
【図８】第２の実施の形態に係る第２発光制御処理プログラムの処理の流れを示すフローチャートである。
【符号の説明】
【００８８】
１０    デジタルカメラ
２４    ＣＣＤ（撮像手段）
３６    ビデオ／ＬＣＤエンコーダ（検出手段）
３８    ＬＣＤ（表示手段）
３８Ａ    バックライト部（発光手段）
４０    ＣＰＵ（制御手段）
６６    ビデオ出力端子（出力端子）
７４    テレビジョン受像器（外部装置）
【図１】
2007096950.tif 000003
【図２】
2007096950.tif 000004
【図３】
2007096950.tif 000005
【図４】
2007096950.tif 000006
【図５】
2007096950.tif 000007
【図６】
2007096950.tif 000008
【図７】
2007096950.tif 000009
【図８】
2007096950.tif 000010